(57)【要約】【課  題】本発明は交通機関の、駅・スーパー・デパート・映画館等の公共の施設において雨に濡れた傘を中に持ち込む際に、短時間に脱水して屋内において床面を、雨水で濡らすことなく傘を携行することができる、傘の脱水乾燥を行う、傘脱水乾燥装置を提供する。【解決手段】内周面に吸水シートを併設した上側開口部が略朝顔形状に開口する傘受器と、吸水シートに吸着された水分を吸引する、バキュウムファン機構を具備せしめた傘乾燥装置において、傘張り地の外面をバキュウムする事により吸水シートに密着させて傘に付着した水滴を素早く吸収させるには、傘張り地の面積と同等の面積を吸水シートに持たせることを目的にした、花びら形傘受器の形状を特徴とする。【選択図】  図２
2004271159.tif 000002
【特許請求の範囲】
【請求項１】
内周面に吸水シートを併設した上側開口部が略朝顔形状に開口する傘受器と、吸水シートに吸着された水分を吸引する、バキュウムファン機構を具備せしめた傘乾燥装置において、傘張り地の外面をバキュウムする事により吸水シートに密着させて傘に付着した水滴を素早く吸収させる為に傘張り地の面積と同等の面積を吸水シートに持たせた、花びら形傘受器の形状を特徴とする傘の脱水乾燥装置。
【請求項２】
傘張り地の外面を吸水シートに密着させて傘に付着した水滴を素早く吸収させるには、バキュウム時ベース板とケーシングと傘受器により形成される空間の圧力上昇を防止する為に、ドレン金具の内側に長穴を設けてボールベアリングを入れておく、長穴の深さはボールベアリングの２倍くらいの深さで底部にホース金具を取り付けるネジを設けて、長穴の中程にストップピンを設けてボールベアリングの落下を防止しながら、圧力降下したときにボールベアリングをベース板のドレン穴に、吸引密着して圧力上昇を防止する、また空間の圧力が常圧の時に、ケーシング内に溜まった水を排出する構造を有した傘の脱水乾燥装置。
【発明の詳細な説明】
【０００１】
【発明が属する技術分野】
本発明は交通機関の、駅・スーパー・デパート・映画館等の公共の施設において雨に濡れた傘を中に持ち込む際に、短時間に脱水して屋内において床面を、雨水で濡らすことなく傘を携行することができる、傘の脱水乾燥を行う、傘脱水乾燥装置に関するものである。
【０００２】
【従来技術】
従来この種の傘乾燥装置は、図４に示すように、上部に挿入口１と下部に排水口２を形成した脱水槽３の上方に、挿入口１と対向してエアー噴出ノズル４と、排出口２下方には貯水タンク５を設けて、脱水槽３にバキュームポンプ６の吸引口７を接続し、排気側をエアー噴出ノズル４に接続した構成になっている（特許文献１参照）。
一方、図示していないが、高圧空気を噴出する多くの小孔を有する螺旋状または階段状に連結されたパイプ状の空気噴射器を保持する保持格納器内に傘を挿入することにより、センサーで傘が入ったことを感知して所定時間だけ高圧空気弁を開放する管制器と高圧空気を発生蓄積して待機する高圧空気供給器からなっている（特許文献２参照）。
一方、図示していないが、乾燥室の外周部に空洞部を設け、噴出孔を介して送風装置より空気を供給する構成としてある。乾燥室の外周から空気が供給されるので、傘の外側の濡れた部分に直接気流をあてて乾燥させることを目的としている（特許文献３参照）。
【０００３】
【特許文献１】
実公平７−２０５４２号公報  （第５−１２頁、第２図）
【特許文献２】
特開平９−２６２１１３号公報  （第５−１０頁）
【特許文献３】
特開２００１−２６３９３９号公報  （第４−２９頁）
【０００４】
【発明が解決しようとする課題】
特許文献１の課題は、傘の上面から空気を吹出させて下部の吸引口７より吸引させる方式の場合、上面から空気を吹き付けるため脱水槽３内に挿入された傘の内側より外側へ広がるため空気が傘の面に沿って流れず、また吸引口７付近だけが特に引付けられるため、水滴が多く付着している傘の外側には高圧空気がほとんど流れず、その結果短時間で脱水することができない。また特許文献２の課題は、螺旋状に構成された空気噴射器の小孔から吹出される場合は、保持格納器に挿入される傘全体が噴出空気に接しないことと、細い管で空気噴射器が形成されているため各孔からの噴出量に分布が生じる、また特許文献３の課題は、装置が大型になり、狭い入り口に設置できない、さらにいずれの場合も傘をたたんだ時に出来るヒダのため、傘全体を均一に乾燥させることができないという課題を有していた、さらにいずれの場合も傘を入れると同時にセンサーが作用し高圧空気が噴出するゆえに、傘を壊したり様々なタイプ（骨の数及びサイズ）の傘に対応できず、また雨が多く付いた傘の状態で挿入する際に上側の挿入口から水滴が飛び出す可能性を有している。
【０００５】
【課題の解決手段】
請求項１に係わる発明は、内周面に吸水シートを併設した上側開口部が略朝顔形状に開口する傘受器と、吸水シートに吸着された水分を吸引する、バキュウムファン機構を具備せしめた傘乾燥装置において、傘張り地の外面をバキュウムする事により吸水シートに密着させて傘に付着した水滴を素早く吸収させるには、傘張り地の面積と同等の面積を吸水シートに持たせることを目的にした、花びら形傘受器の形状を特徴とする。
【０００６】
請求項２に係わる発明は、傘張り地の外面を吸水シートに密着させて傘に付着した水滴を素早く吸収させるには、バキュウム時ベース板とケーシングと傘受器により形成される空間の圧力上昇を防止する為に、ドレン金具の内側に長穴を設けてボールベアリングを入れておく、長穴の深さはボールベアリングの２倍くらいの深さで底部にホース金具を取り付けるネジを設けて、長穴の中程にストップピンを設けてボールベアリングの落下を防止しながら圧力降下したときにボールベアリングをベース板のドレン穴に吸引密着して圧力上昇を防止する、また空間の圧力が常圧の時は、ケーシング内に溜まった水を排出することができる構造を特徴とする。
【０００７】
【発明の実施の形態】
請求項１に記載の発明は、キャスター（１３）を設けたベース板（１）の下部に、ドレン金具（１５）を螺着、バキュウムファン（４）を回転するバキュウムモーター（５）を螺着したケーシング（２）を螺着、センサー（１２）と石突き受け（１４）を設けた、パイプ形状のドラムに花弁形に開口するカバーとパンチングプレート製の台形の傘受板とパンチングプレート製のＵ字型折り曲げ板とセンサー（１２）螺着穴を設けた石突き受け（１４）を溶接固着した傘受器（３）に、傘張り地の外面に密着する部分へ吸水シート（１０）を耐水性の接着剤で貼り付けてケーシング（２）へ螺着、スイッチ（７）とコンセントケーブル（８）やセンサーアンプ（９）を螺着したスイッチボックス（６）を螺着したカバー（１６）をケーシング（２）とベース板（１）に螺着、気密の必要な各所にはパッキンを用いる、以上の部分により構成している。
【０００８】
請求項２に記載の発明は、ベース板（１）の下部に螺着されたドレン金具（１５）にボールベアリング（１９）を内容してストップピン（２０）にてボールベアリング（１９）の位置を調整して、ドレン金具（１５）よりホース金具（１７）を経てドレンホース（１８）より水を排出する、以上の部分により構成している。
【０００９】
【実施例】
以下、本発明の実施例について図面１と図面２と図面３を用いて説明する。
濡れた傘を図面１の傘受器（３）に、図面２の傘（１１）を挿入すると、センサー（１２）が傘の挿入を検知する、センサー（１２）の出力によりバキュウムモーター（５）を起動、バキュウムファン（４）を回転すると、ベース板（１）ケーシング（２）傘受器（３）との空間の気圧が降下する、気圧は等しく空間の内面に働くので、パンチングプレート製の傘受器（３）に、貼り付けた吸水シート（１０）に傘張り地は、吸い寄せられて密着する、傘に付着した水滴はバキューム効果により吸水シート（１０）に、素早く吸収されて傘受器（３）の外側を伝わって空間の底に貯まる、貯まった水はファン停止後に空間の気圧が常圧に回復した後で、図面３のベース板（１）のドレン穴を経てドレン金具（１５）の長穴に固着したストップピン（２０）に支えられ内容されたボールベアリング（１９）の隙間を通過してドレン金具（１５）にネジ込まれたホース金具（１７）を経て金具に差し込まれたドレンホース（１８）を通過して外部に排出される、また吸い寄せられて密着した傘張り地は、センサー（１２）の出力によりタイマーを作動、タイマー出力によりバキュウムモーター（５）を停止、空間の気圧が上昇し常圧に回復した後、脱水乾燥処理された傘を、装置より取り出すことが出来る。
【００１０】
【発明の効果】
請求項１に記載した発明は、利用者が雨傘の出し入れをスムーズに出来るようになり、多数の利用者が使用する場合でも、人の流れが止まらないように、水滴が上方に飛び出す事無く、様々なタイプ（傘骨の数及びサイズ）の傘を壊すことなく、短時間に処理後雨傘の水滴が落ちない程度に脱水乾燥することができる。
【００１１】
請求項２に記載した発明は、バキュウム時ベース板とケーシングと傘受器により形成される空間の圧力上昇を防ぎ、傘張り地の外面を吸水シートに密着させて傘に付着した水滴を素早く吸収させる、また空間の圧力が常圧の時にはケーシング内に溜まった水を排出することができる。
【図面の簡単な説明】
【図１】本発明による傘脱水乾燥装置の平面図。
【図２】同正面図。
【図３】ドレン金具（１５）部分の３面図。
【図４】従来の傘乾燥装置の構成図。
【符号の説明】
１・・ベース板
２・・ケーシング
３・・傘受器
４・・バキュウムファン
５・・バキュウムモーター
６・・スイッチボックス
７・・スイッチ
８・・コンセントケーブル
１０・・吸水シート
１１・・傘
１２・・センサー
１３・・キャスター
１４・・石突き受け
１５・・ドレン金具
１６・・カバー
１７・・ホース金具
１８・・ドレンホース
１９・・ボールベアリング
２０・・ストップピン
【図１】
2004271159.tif 000003
【図３】
2004271159.tif 000004
【図２】
2004271159.tif 000005
【図４】
2004271159.tif 000006